【手続補正書】
【提出日】平成23年6月10日(2011.6.10)
【手続補正１】
【補正対象書類名】明細書
【補正対象項目名】全文
【補正方法】変更
【補正の内容】
【発明の詳細な説明】
【発明の名称】コンピュータ用マウス
【技術分野】
【０００１】
本発明は、操作し易く疲れにくいコンピュータ用マウスに関する。
【背景技術】
【０００２】
従来のコンピュータ用マウスはそのほとんどが卵を縦に割った様な形状をしており、使用者はそれを親指と薬指または小指で左右両側から挟むことによって把持し、前後の移動はそれらの指の曲げ伸ばしによって行うか、または肘から先の部分を腕ごと移動させることによって行い、左右の移動は手首または肘を中心とした水平方向への回転運動によって行っているものが多い。またこの場合クリックスイッチの操作は人差し指と中指で行っている。
【先行技術文献】
【特許文献】
【０００３】
【特許文献１】特開２００４−２５２９１９号公報
【特許文献２】特開２００１−２３６１７７号公報
【特許文献３】特開２００１−２０２１９４号公報
【特許文献４】特開２００６−３１７２０号公報
【特許文献５】特開２００１−０３４４０５号公報
【特許文献６】特開２００５−６３３６９号公報
【特許文献７】特開２００２−１４７６７号公報
【発明の概要】
【発明が解決しようとする課題】
【０００４】
しかしこの方法によれば、前後の移動操作をする際に、指の曲げ伸ばしによって行う場合は、両側から挟みつつ曲げ伸ばしするので疲れ易いし、またストローク、すなわち一回の指の曲げ伸ばしによって移動できる距離が短い為操作しにくい。また肘から先の部分を腕ごと動かす場合は動作が大きくなる為疲れ易い。
本発明が解決しようとする課題は操作し易く疲れにくいマウスを提供する点にある。
【課題を解決するための手段】
【０００５】
請求項１から請求項３に係るマウスは、
コンピュータシステム等のディスプレイ上にて、カーソルを移動させスイッチの操作により、現座標の選択意思をコンピュータ本体に伝達するコンピュータ用マウスにおいて、
マウス本体の前方部に、右クリックスイッチを兼用する画面スクロール用スイッチを配置し、マウス本体の前方部であって、前記画面スクロール用スイッチの左側に左クリックスイッチを配置し、マウス本体の前方部であって、前記画面スクロール用スイッチの右側に、薄く形成された指置き部を配置したことを特徴とするコンピュータ用マウスであって、
このマウス本体の右側部、または右左両側部に、薄く形成された指置き部を配置したマウスであり、
手首の付け根部分をマウス本体の手前側の机上に置き、力を抜いた状態で指先を前記指置き部に自然に置いたときに、指の曲げ伸ばしによってマウスを前後に移動させる為に必要な空間が、指と手のひらの作るアーチと、マウス本体上面およびマウス本体後部との間にできるように、前記アーチに対して、マウス本体の高さを低く形成するとともに、マウス本体の前後方向の長さを短く形成していることを特徴とするコンピュータ用マウスである。以下はマウス本体の左右両側に指置部がある場合について説明する。
【０００６】
このマウスは、本体の前方部の右側部分と本体の左右両側に配置した、指先を置くことのできる薄く形成された指置き部があることを特徴としている。この指置き部は、帽子のつばの様に本体部の周囲に結合されている。この本体の前方部右側部分と本体の右側に配置した指置き部がつながっていても良いし、またそれぞれが独立していても良い。
この指置き部の周囲の形状は、なめらかな円形でも良いし、指先の形に合わせた波型でも良いし、直線と曲線の複合形でも良い。このマウスの使用者は、マウス本体の手前側の机上に手首の付け根部分を置き、手でマウス本体をすっぽり覆いつつ指先を指置き部に置くことができる。そして指先で指置き部を上から押さえ、指を曲げ伸ばしすることによってマウスを前後に移動させることができる。
ただしマウス本体の前方部であって、画面スクロール用スイッチの左側、つまり人差し指の指先の位置に左クリックスイッチがある為、指置部上に置くことができるのは、人差し指を除く親指、中指、薬指、小指の四本の指である。
なお指先とは指の第一関節から先の部分を指す。
【０００７】
この指置き部の厚さがとても薄ければ、指を曲げて前後の移動操作を行う際に、手を握ったり開いたりする時と同じように自然な動きで、指の第一、第二、第三関節のそれぞれを少しずつ曲げ伸ばしすることで指全体の曲げ伸ばしをすることができる。しかし指置き部の厚さが厚くなるにしたがって指先の位置が次第に高くなり、手首の付け根部分を机上に置いた状態で、高い指先の位置を保ったまま前後の移動を行なうことになる為、指の第三関節が伸展した状態で第一、第二関節のみの曲げ伸ばしによって指全体の曲げ伸ばしをせざるをえなくなるし、腕と手の甲のなす角度も次第に小さくなり大変疲れやすくなる。従ってこのマウスの指置き部は大変薄く形成されていることが必要であり、薄ければ薄いほど操作し易く長時間使用しても疲れにくい。
【０００８】
またこのマウスは、手首の付け根部分をマウス本体の手前側の机上に置き、力を抜いた状態で、指先を前記指置き部に自然に置いたときに、指と手ひらの作るアーチと、マウス本体上面およびマウス本体後部との間に一定の空間ができるように、マウス本体が前期アーチに対して低くかつ前後に短く形成されている。
このマウス本体が高く形成され、マウス本体上面と前記アーチとの間に隙間が全く無いか、またはごくわずかしかなければ、指を伸ばそうとしても、マウス本体上面と指や手のひらとがぶつかって指を伸ばすことができない。またマウス本体の前後の長さが長く、マウス本体後部と手首の付け根部分との間に隙間が全く無いか、または少ししかなければ、指を曲げようとしてもマウス本体後部と手首の付け根部分とがぶつかって曲げることができない。
従ってこのマウスの本体は、前期アーチに対して、前後の移動に必要な隙間ができるように、高さも低く前後の長さも短く形成されている。
【０００９】
この様な形状であることによって、使用者はこのマウスを、手首の付け根部分を机上に置いた状態で、人差し指を除く各指の指先で上から押さえることによって把持し、これらの指の曲げ伸ばしによって前後の移動操作を容易に行うことができる。
この場合、親指や小指と比べると中指、薬指の方が長く、従って指先の移動距離も長いので、中指、薬指を主たる原動力として用い、親指、小指を補助的に使用する方が自然である。
また手首の付け根部分を中心とした手首の水平方向の回転運動によって左右の移動を容易に行うことができる。
【００１０】
この操作方法によれば、従来のマウスとは異なり、使用者はマウス上に自然に手を置き、上から手の重みで押さえ、指を曲げるだけで前後の移動操作ができる。また従来のマウスとは異なり、五本の指のうちの、中央付近の比較的長い指の曲げ伸ばしを主たる原動力として前後の移動操作を行うために、前後のストロークも大きくとることができる。        
言い換えれば、このマウスを使用する場合は、指の自然な動きを利用し、かつ指をより効率的に使用する為に、ストロークの大きい移動操作が楽にできる。その為操作し易く疲れにくい。  なお「ストローク」とは一回の指の曲げ伸ばしによって移動可能な距離のことである。
【００１１】
以上はマウス本体の左右両側に指置部がある場合について説明したが、前後の移動操作に中指、薬指を主たる原動力として用い、親指、小指を補助的に使用する方が自然であることから、これに対応して、薬指を置く本体の右側の指置部のみがある場合と、左右両側に指置部がある場合という様に段階的に表現した。
【００１２】
また請求項１に係るマウスは、
マウス本体の前方部に、右クリックスイッチを兼用する画面スクロール用スイッチを配置し、マウス本体の前方部であって、前記画面スクロール用スイッチの左側に左クリックスイッチを配置し、マウス本体の前方部であって、前記画面スクロール用スイッチの右側に、薄く形成された指置き部を配置したことを特徴とするコンピュータ用マウスである。
つまり人差し指の指先の位置および人差し指の可動範囲内に右クリックスイッチを兼用する画面スクロール用スイッチと左クリックスイッチを配置しており、一方従来のマウスとは異なり前方の右側、つまり中指の指先の位置にクリックスイッチが無く、薄く形成した指置部がある。
人差し指の指先は可動範囲が比較的広い為、人差し指で前記二つのスイッチを操作することが可能である。その結果中指はクリック操作を行わないことができ、指先を指置部に置いたままで移動操作のみを行うことができる。
【００１３】
このマウスを使用する場合においては、従来のマウスと同様に、クリック操作が素早くできる様に、指をクリックスイッチの上に持ち上げ続けることができるが、従来のマウスとは異なり人差し指だけでクリック操作をすることができるので、人差し指だけを持ち上げ続ければよい。
一方、中指はクリック操作を行わないことができるため、力を抜いて手をマウス上に置いた時に、中指と薬指と小指の先端は常に指置き部上に置かれていて、中指と薬指と小指で手が自然なアーチを描くのを支える形となる。
この為、この状態で人差し指をクリックスイッチの上に持上げ続けることは、従来のマウスの様に人差し指と中指の二本の指を同時に持ち上げ続ける場合と違って極めて楽である。
以上のように、請求項１から請求項３に係るマウスにおいては、マウス本体の前方部右側にある指置部に置いた中指が、移動操作の主力となると同時に、クリック操作を担う人差し指を支える主力となっている。このマウスにおいては中指の果たす役割が大変重要である。従って構造的にはマウス本体の前方部右側に指置部を配置したことが、このマウスにおける最も重要な特徴のひとつと言える。
【００１４】
請求項４に係るマウスは、請求項１から請求項３のいずれか一項に記載のコンピュータ用マウスにおいて、「右クリックスイッチを兼用する画面スクロール用のスイッチ」が「右クリックスイッチ」であって、マウス本体の左側面部に、画面スクロール用のスイッチを配置したことを特徴とするコンピュータ用マウスである。
つまり、マウス本体の前方部に右クリックスイッチを配置し、このスイッチをはさんで、左側に左クリックスイッチを、右側に前記の薄く形成された指置き部を配置するとともに、本体の右側または右左両側にも、前記薄く形成された指置き部を配置したことを特徴とするコンピュータ用マウスであって、マウス本体の左側面に画面スクロール用のスイッチを配置したことを特徴とするコンピュータ用マウスである。
人差し指の指先は可動範囲が比較的広い為、人差し指で右クリックスイッチ、左クリックスイッチの両方を操作することが可能である。また親指で画面スクロール用のスイッチを操作することが可能であるため、クリックスイッチの操作を人差し指で行い、画面スクロール用のスイッチの操作を親指で行うというように役割を分担することができる。
【００１５】
請求項５に係るマウスは、マウス本体の前方部であって、右クリックスイッチを兼用する画面スクロール用スイッチの右側に配置した指置き部と、マウス本体の右側部に配置した指置き部とが、つながり一体となっていることを特徴とする、請求項１から請求項４のいずれか一項に記載のコンピュータ用マウスである。指置き部がつながって一体となっていれば、指を置く位置の自由度が高くなり、使用し易くなる。
【００１６】
請求項６に係るマウスは、指置き部の縁部の一部または全部を盛り上げて形成することで、指の脱落を防止することを特徴とした、請求項１から請求項５のいずれか一項に記載のコンピュータ用マウスである。
このマウスは縁の部分が盛り上がっている為、指先が多少ずれても指置き部から外れにくく使用し易い。
【００１７】
請求項７に係るマウスは、指でマウス操作をする場合において、指置き部の指先が配置される部分に凹部を設けたことを特徴とする、請求項１から請求項６のいずれか一項に記載のコンピュータ用マウスである。
凹部を設けてある為に指先がずれにくく、指置き部をしっかりと把持できる為、安定した操作が可能である。
【００１８】
請求項８に係るマウスは、前記左クリックスイッチの周りを囲うように、盛り上がり部を設けたことを特徴とする、請求項１から請求項７のいずれか一項に記載のコンピュータ用マウスである。
このマウスは、クリックスイッチのばね圧を適宜に調整することにより、人差し指の指先をクリックスイッチの上に軽く載せた状態で、水平方向に力を加えれば、周囲の盛り上がり部を指先が押すことによって移動操作に使用でき、マウスがクリックする位置に停止したら垂直方向に力を加えてクリックスイッチを押し下げることができる、という様に人差し指を移動操作とクリック操作の両方に使うことができる。これにより、人差し指を持ち上げて、移動操作を行う場合よりも、より安定した移動操作が可能である。
【００１９】
請求項９に係るマウスは、移動距離検出部とマウス本体の筺体とを、互いに水平方向に回動可能である様に結合したことを特徴とする、請求項１から請求項８のいずれか一項に記載のコンピュータ用マウスである。
ディスプレイの画面上における垂直方向をカーソルの移動軸とし、それに対応する操作面上のマウスの移動方向をマウスの移動軸と定義する。
請求項１から請求項８のいずれか一項に記載のコンピュータ用マウスは、指の曲げ伸ばしによって前後方向の移動操作をおこなうが、この様に指を使用した場合、指先の可動範囲が広い為、マウスを水平方向に回転させ、マウスの移動軸に対するマウス本体の角度を多少変えても、従ってマウスの移動軸に対する手首の角度を多少変えても、指を曲げる方向をそれに応じて変えることによって、マウスを一定の方向、すなわちマウスの移動軸の方向に動かすことが可能である。
そしてこの様に、手首の水平方向の角度を変えることによって、指を曲げる方向も変わる為、手首の角度の違いにより、前後の移動操作時に微妙な操作感の違いを生じる。
請求項９に係るマウスは、移動距離検出部とマウス本体の筺体とを、互いに水平方向に回転させることによって、マウスの移動軸に対するマウス本体のなす角度を変えることができる。従ってマウスの移動軸に対する操作時の手首の角度を変えることができる。その為使用者は自分の使いやすい角度を選んでマウスを操作することができる。
【００２０】
請求項１０係るマウスは、移動距離検出部を円形の部材上に設置し、マウス本体筺体の底面に設けた円形の穴に、前記部材を回動可能である様にはめ込んだことを特徴とする、請求項９に記載のコンピュータ用マウスである。
このような機構にすることによって、移動距離検出部とマウス本体の筺体とを、互いに水平方向に回転させる際に、その回転させる操作を簡単に行うことができる。
【００２１】
請求項１１に係るマウスは、コンピュータシステム等のディスプレイ上のカーソルを移動させ、スイッチの操作により現座標の選択意思をコンピュータ本体に伝達するコンピュータ用マウスにおいて、
手のひらを下方に向け、手首の付け根部分をマウスを操作する机上に置き、脱力した状態で、少なくとも人差し指、中指、薬指の三本、または人差し指、中指、薬指、小指の四本の指先を同時に置くことのできる平面または曲面をマウスの上面に有し、
手首の付け根部分を、マウスを操作する机上に置いた状態で、前記平面または局面を前記三本または四本の指の指先で上から抑え、前記三本または四本の指の曲げ伸ばしによって容易に移動できるよう、前記平面または曲面部分の厚さが、薄く形成されていることを特徴とするコンピュータ用マウスであって、人差し指で操作可能な位置に、右クリックスイッチを兼ねる画面スクロール用の回転体型のスイッチを配置し、その左側に左クリックスイッチを配置したことを特徴とするコンピュータ用マウスである。
このマウスは、座標検出装置等の各機器を全体的に薄く形成、配置し、平たい円盤状の筐体に収納したものであり、請求項１に係るマウスのように本体部、指置き部のような区別がなく全体が平たい円盤状をしている。人差し指で、右クリックスイッチを兼ねる画面
スクロール用の回転体型のスイッチおよび左クリックスイッチを操作することができる。
【発明の効果】
【００２２】
請求項１から請求項３に係るマウスを使用する場合は、大きなストロークの自然な操作が可能であり、操作しやすく疲れにくい。またクリックスイッチ操作用の指を持ち上げ続けたとしても楽にできる為疲れにくい。
【００２３】
請求項４に係るマウスを使用する場合は、親指で画面スクロール用のスイッチを操作することが可能である。この為人差し指の負担が少なくてすむ。
【００２４】
請求項５に係るマウスを使用する場合は、指先を置く位置の自由度が高く、使用し易い。
【００２５】
請求項６に係るマウスを使用する場合は、指置き部から指が外れにくい為、使用し易い。
【００２６】
請求項７に係るマウスを使用する場合は、しっかりとマウスを把持できるため、安定した操作ができる。
【００２７】
請求項８に係るマウスを使用する場合は、安定した移動操作ができる。
【００２８】
請求項９に係るマウスを使用する場合は、マウスを操作する際の手首の角度を変えることができるため、使用しやすい。
【００２９】
請求項１０に係るマウスを使用する場合は、前記角度の変更が簡単にできる。
【００３０】
請求項１１に係るマウスを使用する場合は、指置き部と本体部の区別がない為全体的に平らな形状が可能である。
【図面の簡単な説明】
【００３１】
【図１】従来のマウスを示す斜視図である。
【図２】本願の発明を実施するための最良の形態を示す参考斜視図である。
【図３】本願の発明を実施するための最良の形態の平面図である。
【図４】本願の発明に係る実施例１を示す参考斜視図である。
【図５】本願の発明に係る実施例１の平面図である。
【図６】本願の発明に係る実施例２を示す参考斜視図である。
【図７】本願の発明に係る実施例２の平面図である。
【図８】本願の発明に係る実施例３を示す参考斜視図である。
【図９】本願の発明に係る実施例３の平面図である。
【図１０】本願の発明に係る実施例４の使用状態を示す参考斜視図である。
【図１１】本願の発明に係る実施例４の平面図である。
【発明を実施するための最良の形態】
【００３２】
発明を実施するための最良の形態を図２に基づいて説明する。
機器類を収納する収納部１と、その前方にクリックスイッチを兼用する画面スクロールスイッチ１０を配置し、その左側に左クリックスイッチ６、右側に中指の指置部２、を配置し、左右両側に薄く形成された薬指３、小指４、親指５の各指の指置き部を有するマウスであって、各指の指置き部は、手首の付け根部分を机上に置いた状態で、力を抜いて、前記各指をそれぞれの指の指置き部に自然に置くことができる様に、帯状につながり、曲線を描く様に配置されている。中指と薬指の指置き部の縁の部分８が少し盛り上がり、指がはずれにくくなっている。
【００３３】
収納部はドーム型の形状をしていて、この収納部の左右両側の後方部分の幅がくびれる様に少し狭くなっており、その結果この部分の上面の傾斜が急になっていて、これがマウスの側面９となっている。
この右側面を薬指または小指で押さえ、左側面を親指で押さえることによって、マウスを左右に移動させる際により安定した動作が可能になる。
【００３４】
人差し指の指先の位置には左クリックスイッチ６と右クリックスイッチを兼ねた画面スクロール用の回転体型のスイッチ１０がある。
このクリックスイッチの周囲の台座部分７を盛り上げて形成してあり、かつクリックスイッチのばね圧をやや強めに調整してある為、人差し指の指先をクリックスイッチの上に載せた状態で、水平方向に力を加える移動操作と、垂直方向に力を加えるクリック操作の両方が可能である。
また人差し指の可動範囲が比較的広い為、左のクリックスイッチ６と右クリックスイッチを兼ねた画面スクロール用の回転体型のスイッチ１０の両方を操作することができる。
【００３５】
マウスの手前の机上に手首の付け根部分を置き、力を抜いて指先をその指置き部に自然に置いた時に指と手のひらの作るアーチとの間に、一定の空間ができるように、前記アーチに対して収納部の高さは低く、また前後の長さも十分短く形成されている。
この様な形状であることによって、使用者はこのマウスを、手首の付け根部分を机上に置いた状態で、指先で上から押さえることによって把持し、これらの指の曲げ伸ばしによって前後の移動操作を容易に行うことができる。
【００３６】
図２は発明を実施するための最良の形態を示す参考斜視図である。
【実施例１】
【００３７】
発明を実施するための実施例１を図４に基づいて説明する。
収納部、指置部、クリックスイッチの位置関係は最良の形態の場合とほぼ同じである。
【００３８】
人差し指の指先の位置には左クリックスイッチ１６と、右クリックスイッチを兼ねた画面スクロール用の回転体型のスイッチ１７があり、クリックスイッチから後方に向かって、帯状の盛り上がり部１９ｂがあり、ここに人差し指を載せることができる。
また中指の指置き部から後方に向かって、収納部１９ａが緩やかに傾斜をなして高くなり、途中から前記人差し指を載せる帯状の盛り上がり部と一体となった付近で最高点に達し、その後カーブしながら低くなり本体の後端部をなしている。
この様に、収納部は、後方では一体であるが、ある地点からは、緩やかに傾斜をなして低くなり中指の指置き部に至る右半分と、ある程度の高さを保ちながらやがてクリックスイッチに至る左半分とによって構成されている。
【００３９】
この、中指の指置き部から緩やかに傾斜をなして高くなっていく収納部と、薬指または小指の指置き部との間に段差が生じるが、これは言い換えれば本体の右側面であり、この側面を薬指または小指で押さえ、反対側の側面１９ｂを親指で押さえることによって、マウスを左右に移動させる際により安定した動作が可能になる。
【００４０】
マウスの手前の机上に手首の付け根部分を置き、力を抜いて指先をその指置き部に自然に置いた時に指と手のひらの作るアーチとの間に、一定の空間ができるように、前記アーチに対して収納部の高さは低く、また前後の長さも短く形成されている点は最良の形態と同じである。
この様な形状であることによって、使用者はこのマウスを、手首の付け根部分を机上に置いた状態で、指先で上から押さえることによって把持し、指の曲げ伸ばしによって前後の移動操作を容易に行うことができる。
【００４１】
図４は実施例１を示す参考斜視図である。
【実施例２】
【００４２】
発明を実施するための実施例２を図６に基づいて説明する。
このマウスは、実施例１における、右クリックスイッチを兼ねた画面スクロール用の回転体型のスイッチのあった位置に、右クリックスイッチ２７を配置し、親指の指先で操作可能な位置に、クリックスイッチの機能のない画面スクロール用の回転体型のスイッチ２９ｂを配置したものである。その他の部分は実施例１と同じである。
左クリックスイッチ２６と右クリックスイッチ２７を人差し指で操作し、画面スクロール用の回転体型のスイッチ２９ｂを親指で操作することができる。
【００４３】
図６は実施例２を示す参考斜視図である。  
【実施例３】
【００４４】
実施例３を図８に基づいて説明する。
実施例３は、平板状の基盤と、それに被せる様に一体化した円盤状の筺体で本体を構成し、本体天面の端に左クリックスイッチ５２を、その右側に右クリックスイッチを兼用する画面スクロール用の回転体型のスイッチ５４を配置したものである。全体を薄い円盤状に形成してあるが、これは収納部と指置き部の区別がないため全体がほぼ平坦でありよりスッキリとしたデザインとなっている。
【００４５】
５１はここに指先を置いて移動操作を行う、指置き部である。収納部と指置き部の区別がないため上面部分のほぼ全体を占めており、従って実施例４は全体が大変薄く形成されている。
【００４６】
５５は５１の一部が厚く盛り上がっている部分であり、ここに移動距離検出部等の部品を内蔵する。
【００４７】
左クリックスイッチ５２と右クリックスイッチを兼用する画面スクロール用の回転体型のスイッチ５４は近接して設置されている為人差し指で両方を操作できる。
【００４８】
また左クリックスイッチ５２を囲う様に盛り上がり部５３を設けたことによって、人差し指を移動操作とクリック操作の両方に使用することができる。
【００４９】
図８は実施例３の使用状態を示す参考斜視図である。
【実施例４】
【００５０】
実施例４を図１０に基づいて説明する。
実施例４は、全体を角ばったデザインにしたものであり、全体を直線と平面で構成している。
図１０は実施例４を示す参考斜視図である。
【産業上の利用可能性】
【００５１】
本発明のマウスは、形状やスイッチ等の配置に特徴があり、マウスの動作方式は従来と変わらない為、既存のコンピュータへ付け替えて使用でき、マウス単体での販売も可能であり、工業生産も可能である。
【符号の説明】
【００５２】
１    収納部。
２    中指の指置き部。
３    薬指の指置き部。
４    小指の指置き部。
５    親指の指置き部。
６    左クリックスイッチ。
７    周囲を盛り上げたクリックスイッチの台座部。
８    盛り上げた指置き部の縁部。
９    収納部の側面。
１０    右クリックスイッチを兼ねた画面スクロール用の回転体型のスイッチ。
１１    収納部。
１２    中指の指置き部。
１３    薬指の指置き部。
１４    小指の指置き部。
１５    親指の指置き部。
１６    左クリックスイッチ。
１７    右クリックスイッチを兼ねた画面スクロール用の回転体型のスイッチ。
１８    盛り上げた指置き部の縁部。
１９    収納部の側面。
１９a   収納部上面。
１９b   人差し指を載せる盛り上がり部。
２１    収納部。
２２    中指の指置き部。
２３    薬指の指置き部。
２４    小指の指置き部。
２５    親指の指置き部。
２６    左クリックスイッチ。
２７    右クリックスイッチ。
２８    盛り上げた指置き部の縁部。
２９    収納部の側面。
２９a   収納部上面。
２９b   画面スクロール用の回転体型のスイッチ 
２９c   人差し指を載せる盛り上がり部。
５１    指先を置く指置き部。
５２    左クリックスイッチ。
５３    周囲を盛り上げたクリックスイッチの囲い
５４    右クリックスイッチを兼ねた画面スクロール用の回転体型のスイッチ。
５５    ５１の一部が厚く盛り上がっていて部品を内蔵する収納部。
６１    収納部
６２    指置き部
６３    左クリックスイッチ。
６４    周囲を盛り上げたクリックスイッチの囲い
６５    右クリックスイッチを兼ねた画面スクロール用の回転体型のスイッチ。
【手続補正２】
【補正対象書類名】特許請求の範囲
【補正対象項目名】全文
【補正方法】変更
【補正の内容】
【特許請求の範囲】
【請求項１】
コンピュータシステム等のディスプレイ上にて、カーソルを移動させスイッチの操作により、現座標の選択意思をコンピュータ本体に伝達するコンピュータ用マウスにおいて、マウス本体の前方部に、右クリックスイッチを兼用する画面スクロール用スイッチを配置し、前記画面スクロール用スイッチの左側に左クリックスイッチを配置し、前記画面スクロール用スイッチの右側に、薄く形成された指置き部を配置したことを特徴とするコンピュータ用マウス。
【請求項２】
マウス本体の右側部、または右左両側部に、薄く形成された指置き部を配置したことを特徴とする、請求項１に記載のコンピュータ用マウス。
【請求項３】
手首の付け根部分をマウス本体の手前側の机上に置き、力を抜いた状態で指先を前記指置き部に自然に置いたときに、指の曲げ伸ばしによってマウスを前後に移動させる為に必要な空間が、指と手のひらの作るアーチと、マウス本体上面およびマウス本体後部との間にできるように、前記アーチに対して、マウス本体の高さを低く形成するとともに、マウス本体の前後方向の長さを短く形成していることを特徴とする、請求項１から請求項２のいずれか一項に記載のコンピュータ用マウス。
【請求項４】
請求項１から請求項３のいずれか一項に記載のコンピュータ用マウスにおいて、「右クリックスイッチを兼用する画面スクロール用スイッチ」が「右クリックスイッチ」であるとともに、マウス本体左側面部に画面スクロール用スイッチを配置したことを特徴とするコンピュータ用マウス.
【請求項５】
マウス本体の前方部であって、右クリックスイッチを兼用する画面スクロール用スイッチの右側に配置した指置き部と、マウス本体の右側部に配置した指置き部とがつながり、一体となっていることを特徴とする、請求項１から請求項４のいずれか一項に記載のコンピュータ用マウス。
【請求項６】
指置き部の縁部の一部または全部を盛り上げて形成することで、指の脱落を防止することを特徴とする、請求項１から請求項５のいずれか一項に記載のコンピュータ用マウス。
【請求項７】
指でマウス操作をする場合において、指置き部の指先が配置される部分に凹部を設けたことを特徴とする、請求項１から請求項６のいずれか一項に記載のコンピュータ用マウス。
【請求項８】
前記左クリックスイッチの周りを囲うように、盛り上がり部を設けたことを特徴とする、請求項１から請求項７のいずれか一項に記載のコンピュータ用マウス。
【請求項９】
移動距離検出部とマウス本体の筺体とを、互いに水平方向に回動可能である様に結合したことを特徴とする、請求項１から請求項８のいずれか一項に記載のコンピュータ用マウス。
【請求項１０】
移動距離検出部を円形の部材上に設置し、マウス本体筺体の底面に設けた円形の穴に、前記部材を回動可能である様にはめ込んだことを特徴とする、請求項９に記載のコンピュータ用マウス。
【請求項１１】
コンピュータシステム等のディスプレイ上のカーソルを移動させ、スイッチの操作により現座標の選択意思をコンピュータ本体に伝達するコンピュータ用マウスにおいて、
手のひらを下方に向け、手首の付け根部分を、マウスを操作する机上に置き、脱力した状態で、少なくとも人差し指、中指、薬指の三本、または人差し指、中指、薬指、小指の四本の指の指先を、同時に置くことのできる平面または曲面をマウスの上面に有し、
手首の付け根部分を、マウスを操作する机上に置いた状態で、前記平面または局面を前記三本または四本の指の指先で上から抑え、前記三本または四本の指の曲げ伸ばしによって容易に移動できるよう、前記平面または曲面部分の厚さが、薄く形成されていることを特徴とするコンピュータ用マウスであって、人差し指で操作可能な位置に、右クリックスイッチを兼ねる画面スクロール用の回転体型のスイッチを配置し、その左側に左クリックスイッチを配置したことを特徴とするコンピュータ用マウス。
【手続補正３】
【補正対象書類名】図面
【補正対象項目名】全図
【補正方法】変更
【補正の内容】
【図１】
2009020875.tif 000001
【図２】
2009020875.tif 000002
【図３】
2009020875.tif 000003
【図４】
2009020875.tif 000004
【図５】
2009020875.tif 000005
【図６】
2009020875.tif 000006
【図７】
2009020875.tif 000007
【図８】
2009020875.tif 000008
【図９】
2009020875.tif 000009
【図１０】
2009020875.tif 000010
【図１１】
2009020875.tif 000011